【手続補正書】
【提出日】平成24年8月10日(2012.8.10)
【手続補正１】
【補正対象書類名】明細書
【補正対象項目名】発明の名称
【補正方法】変更
【補正の内容】
【発明の名称】配線シート付き太陽電池セル、太陽電池モジュール、配線シート付き太陽電池セルの製造方法および太陽電池モジュールの製造方法
【手続補正２】
【補正対象書類名】明細書
【補正対象項目名】０００１
【補正方法】変更
【補正の内容】
【０００１】
本発明は、配線シート付き太陽電池セル、太陽電池モジュール、配線シート付き太陽電池セルの製造方法および太陽電池モジュールの製造方法に関する。
【手続補正３】
【補正対象書類名】明細書
【補正対象項目名】００１６
【補正方法】変更
【補正の内容】
【００１６】
上記の事情に鑑みて、本発明の目的は、太陽電池セルと配線シートとの機械的な接続の安定性を向上することができるとともに、太陽電池セルの電極と配線シートの配線との電気的な接続の安定性を向上することができる配線シート付き太陽電池セル、太陽電池モジュール、配線シート付き太陽電池セルの製造方法および太陽電池モジュールの製造方法を提供することにある。
【手続補正４】
【補正対象書類名】明細書
【補正対象項目名】００１７
【補正方法】変更
【補正の内容】
【００１７】
本発明は、絶縁性基材と絶縁性基材の少なくとも一方の表面に設けられた配線とを含む配線シートと、基板と基板の少なくとも一方の表面上に設けられた電極とを有する太陽電池セルと、配線シートの配線と太陽電池セルの電極との間に設置された導電性物質と、配線シートと太陽電池セルとを機械的に接続する固定樹脂と、を含み、配線は配線シート上に設置される太陽電池セルの周縁部に対向する配線シートの領域の少なくとも一部と、太陽電池セルと対向しない配線シートの領域の少なくとも一部とに跨って形成された窪みを有し、固定樹脂は、太陽電池セルの周縁部に接するように窪みに設けられている配線シート付き太陽電池セルである。
【手続補正５】
【補正対象書類名】明細書
【補正対象項目名】００１９
【補正方法】削除
【補正の内容】
【手続補正６】
【補正対象書類名】明細書
【補正対象項目名】００２２
【補正方法】変更
【補正の内容】
【００２２】
また、本発明は、基板と基板の少なくとも一方の表面上に設けられた電極とを含む太陽電池セルと、絶縁性基材と絶縁性基材の少なくとも一方の表面に設けられた配線とを含む配線シートと、配線シートの配線と太陽電池セルの電極との間に設置された導電性物質と、配線シートと太陽電池セルとを機械的に接続する固定樹脂と、を含み、電極と太陽電池セルの周縁部との間の少なくとも一部の領域に樹脂流動阻止部が設けられ、樹脂流動阻止部は、周縁部の所定の箇所を囲うように連続して形成されており、固定樹脂は、太陽電池セルの所定の箇所を含み、樹脂流動阻止部よりも外側に位置するように配線シート上に設けられている配線シート付き太陽電池セルである。
【手続補正７】
【補正対象書類名】明細書
【補正対象項目名】００２３
【補正方法】変更
【補正の内容】
【００２３】
ここで、本発明の配線シート付き太陽電池セルにおいて、樹脂流動阻止部は電極と同一の材質から形成されていることが好ましい。
【手続補正８】
【補正対象書類名】明細書
【補正対象項目名】００２４
【補正方法】削除
【補正の内容】
【手続補正９】
【補正対象書類名】明細書
【補正対象項目名】００２７
【補正方法】変更
【補正の内容】
【００２７】
また、本発明は、基板と基板の少なくとも一方の表面上に設けられた電極とを有する太陽電池セルと、絶縁性基材と絶縁性基材の少なくとも一方の表面に設けられた配線とを有し、配線には窪みが形成されている配線シートと、配線シートの配線と太陽電池セルの電極との間に設置された導電性物質と、配線シートと太陽電池セルとを機械的に接続する固定樹脂と、を含む配線シート付き太陽電池セルを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの周縁部の少なくとも一部の領域と配線シートの窪みとの間に、導電性粒子を含む樹脂とは間隔を空けて固定樹脂を設置する工程と、固定樹脂を硬化する工程と、導電性粒子を含む樹脂を硬化する工程と、を含む配線シート付き太陽電池セルの製造方法である。また、本発明は、基板と基板の少なくとも一方の表面上に設けられた電極とを有し、電極と基板の周縁部との間の少なくとも一部の領域に、周縁部の所定の箇所を囲うように樹脂流動阻止部が連続して形成されている太陽電池セルと、絶縁性基材と絶縁性基材の少なくとも一方の表面に設けられた配線とを有する配線シートと、配線シートの配線と太陽電池セルの電極との間に設置された導電性物質と、配線シートと太陽電池セルとを機械的に接続する固定樹脂と、を含む配線シート付き太陽電池セルを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの所定の箇所を含み、樹脂流動阻止部の外側の領域に位置するように、導電性粒子を含む樹脂とは間隔を空けて固定樹脂を設置する工程と、固定樹脂を硬化する工程と、導電性粒子を含む樹脂を硬化する工程と、を含む、配線シート付き太陽電池セルの製造方法である。
【手続補正１０】
【補正対象書類名】明細書
【補正対象項目名】００３０
【補正方法】変更
【補正の内容】
【００３０】
さらに、本発明は、基板と基板の少なくとも一方の表面上に設けられた電極とを有する太陽電池セルと、絶縁性基材と絶縁性基材の少なくとも一方の表面に設けられた配線とを有し、配線には窪みが形成されている配線シートと、配線シートの配線と太陽電池セルの電極との間に設置された導電性物質と、配線シートと太陽電池セルとを機械的に接続するための固定樹脂と、を含む配線シート付き太陽電池セルを封止材によって封止した太陽電池モジュールを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの周縁部の少なくとも一部の領域と配線シートの窪みとの間に、導電性粒子を含む樹脂とは間隔を空けて固定樹脂を設置する工程と、固定樹脂を硬化する工程と、固定樹脂を硬化する工程で配線シートに仮固定された太陽電池セルを封止材によって封止する工程と、を含み、封止材によって封止する工程は導電性粒子を含む樹脂を硬化する工程を含む太陽電池モジュールの製造方法である。また、本発明は、基板と基板の少なくとも一方の表面上に設けられた電極とを有し、電極と基板の周縁部との間の少なくとも一部の領域に、周縁部の所定の箇所を囲うように樹脂流動阻止部が連続して形成されている太陽電池セルと、絶縁性基材と絶縁性基材の少なくとも一方の表面に設けられた配線とを有する配線シートと、配線シートの配線と太陽電池セルの電極との間に設置された導電性物質と、配線シートと太陽電池セルとを機械的に接続するための固定樹脂と、を含む配線シート付き太陽電池セルを封止材によって封止した太陽電池モジュールを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの所定の箇所を含み、樹脂流動阻止部の外側の領域に位置するように、導電性粒子を含む樹脂とは間隔を空けて前記固定樹脂を設置する工程と、固定樹脂を硬化する工程と、固定樹脂を硬化する工程で配線シートに仮固定された太陽電池セルを封止材によって封止する工程とを含み、封止材によって封止する工程は、導電性粒子を含む樹脂を硬化する工程を含む、太陽電池モジュールの製造方法である。
【手続補正１１】
【補正対象書類名】明細書
【補正対象項目名】００３１
【補正方法】変更
【補正の内容】
【００３１】
本発明によれば、太陽電池セルと配線シートとの機械的な接続の安定性を向上することができるとともに、太陽電池セルの電極と配線シートの配線との電気的な接続の安定性を向上することができる配線シート付き太陽電池セル、太陽電池モジュール、配線シート付き太陽電池セルの製造方法および太陽電池モジュールの製造方法を提供することができる。
【手続補正１２】
【補正対象書類名】明細書
【補正対象項目名】０１１５
【補正方法】変更
【補正の内容】
【０１１５】
本発明は、配線シート付き太陽電池セル、太陽電池モジュール、配線シート付き太陽電池セルの製造方法および太陽電池モジュールの製造方法に好適に利用することができる。
【手続補正１３】
【補正対象書類名】特許請求の範囲
【補正対象項目名】全文
【補正方法】変更
【補正の内容】
【特許請求の範囲】
【請求項１】
絶縁性基材と前記絶縁性基材の少なくとも一方の表面に設けられた配線とを含む配線シートと、
基板と前記基板の少なくとも一方の表面上に設けられた電極とを有する太陽電池セルと、
前記配線シートの前記配線と前記太陽電池セルの前記電極との間に設置された導電性物質と、
前記配線シートと前記太陽電池セルとを機械的に接続する固定樹脂と、を含み、
前記配線は、前記配線シート上に設置される前記太陽電池セルの周縁部に対向する前記配線シートの領域の少なくとも一部と、前記太陽電池セルと対向しない前記配線シートの領域の少なくとも一部とに跨って形成された窪みを有し、
前記固定樹脂は、前記太陽電池セルの周縁部に接するように前記窪みに設けられている、配線シート付き太陽電池セル。
【請求項２】
前記窪みは、前記絶縁性基材の表面が露出している領域であって、前記配線に囲まれている領域である、請求項１に記載の配線シート付き太陽電池セル。
【請求項３】
前記固定樹脂は、紫外線の照射および加熱の少なくとも一方の処理によって硬化する絶縁性樹脂である、請求項１または２に記載の配線シート付き太陽電池セル。
【請求項４】
請求項１から３のいずれかに記載の配線シート付き太陽電池セルを含む、太陽電池モジュール。
【請求項５】
基板と前記基板の少なくとも一方の表面上に設けられた電極とを含む太陽電池セルと、
絶縁性基材と前記絶縁性基材の少なくとも一方の表面に設けられた配線とを含む配線シートと、
前記配線シートの前記配線と前記太陽電池セルの前記電極との間に設置された導電性物質と、
前記配線シートと前記太陽電池セルとを機械的に接続する固定樹脂と、を含み、
前記電極と前記太陽電池セルの周縁部との間の少なくとも一部の領域に樹脂流動阻止部が設けられ、前記樹脂流動阻止部は、前記周縁部の所定の箇所を囲うように連続して形成されており、
前記固定樹脂は、前記太陽電池セルの前記所定の箇所を含み、前記樹脂流動阻止部よりも外側に位置するように前記配線シート上に設けられている、配線シート付き太陽電池セル。
【請求項６】
前記樹脂流動阻止部は、前記電極と同一の材質から形成されている、請求項５に記載の配線シート付き太陽電池セル。
【請求項７】
前記固定樹脂は、紫外線の照射および加熱の少なくとも一方の処理によって硬化する絶縁性樹脂である、請求項５または６に記載の配線シート付き太陽電池セル。
【請求項８】
請求項５から７のいずれかに記載の配線シート付き太陽電池セルを含む、太陽電池モジュール。
【請求項９】
基板と前記基板の少なくとも一方の表面上に設けられた電極とを有する太陽電池セルと、
絶縁性基材と前記絶縁性基材の少なくとも一方の表面に設けられた配線とを有し、前記配線には窪みが形成されている配線シートと、
前記配線シートの前記配線と前記太陽電池セルの前記電極との間に設置された導電性物質と、
前記配線シートと前記太陽電池セルとを機械的に接続する固定樹脂と、を含む配線シート付き太陽電池セルを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの周縁部の少なくとも一部の領域と前記配線シートの前記窪みとの間に、前記導電性粒子を含む前記樹脂とは間隔を空けて前記固定樹脂を設置する工程と、
前記固定樹脂を硬化する工程と、
前記導電性粒子を含む前記樹脂を硬化する工程と、を含む、配線シート付き太陽電池セルの製造方法。
【請求項１０】
基板と前記基板の少なくとも一方の表面上に設けられた電極とを有し、前記電極と前記基板の周縁部との間の少なくとも一部の領域に、前記周縁部の所定の箇所を囲うように樹脂流動阻止部が連続して形成されている太陽電池セルと、
絶縁性基材と前記絶縁性基材の少なくとも一方の表面に設けられた配線とを有する配線シートと、
前記配線シートの前記配線と前記太陽電池セルの前記電極との間に設置された導電性物質と、
前記配線シートと前記太陽電池セルとを機械的に接続する固定樹脂と、を含む配線シート付き太陽電池セルを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの前記所定の箇所を含み、前記樹脂流動阻止部の外側の領域に位置するように、前記導電性粒子を含む前記樹脂とは間隔を空けて前記固定樹脂を設置する工程と、
前記固定樹脂を硬化する工程と、
前記導電性粒子を含む前記樹脂を硬化する工程と、を含む、配線シート付き太陽電池セルの製造方法。
【請求項１１】
前記導電性粒子を含む前記樹脂を硬化する工程においては、前記導電性粒子が溶融して凝集した後に固化することによって形成された前記導電性物質によって前記電極と前記配線とが電気的に接続される、請求項９または１０に記載の配線シート付き太陽電池セルの製造方法。
【請求項１２】
前記固定樹脂を硬化する工程は、紫外線の照射および加熱の少なくとも一方の処理によって前記固定樹脂を硬化する工程を含む、請求項９から１１のいずれかに記載の配線シート付き太陽電池セルの製造方法。
【請求項１３】
基板と前記基板の少なくとも一方の表面上に設けられた電極とを有する太陽電池セルと、
絶縁性基材と前記絶縁性基材の少なくとも一方の表面に設けられた配線とを有し、前記配線には窪みが形成されている配線シートと、
前記配線シートの前記配線と前記太陽電池セルの前記電極との間に設置された導電性物質と、
前記配線シートと前記太陽電池セルとを機械的に接続するための固定樹脂と、を含む配線シート付き太陽電池セルを封止材によって封止した太陽電池モジュールを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの周縁部の少なくとも一部の領域と前記配線シートの前記窪みとの間に、前記導電性粒子を含む前記樹脂とは間隔を空けて前記固定樹脂を設置する工程と、
前記固定樹脂を硬化する工程と、
前記固定樹脂を硬化する工程で前記配線シートに仮固定された前記太陽電池セルを前記封止材によって封止する工程と、を含み、
前記封止材によって封止する工程は、前記導電性粒子を含む前記樹脂を硬化する工程を含む、太陽電池モジュールの製造方法。
【請求項１４】
基板と前記基板の少なくとも一方の表面上に設けられた電極とを有し、前記電極と前記基板の周縁部との間の少なくとも一部の領域に、前記周縁部の所定の箇所を囲うように樹脂流動阻止部が連続して形成されている太陽電池セルと、
絶縁性基材と前記絶縁性基材の少なくとも一方の表面に設けられた配線とを有する配線シートと、
前記配線シートの前記配線と前記太陽電池セルの前記電極との間に設置された導電性物質と、
前記配線シートと前記太陽電池セルとを機械的に接続するための固定樹脂と、を含む配線シート付き太陽電池セルを封止材によって封止した太陽電池モジュールを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの前記所定の箇所を含み、前記樹脂流動阻止部の外側の領域に位置するように、前記導電性粒子を含む前記樹脂とは間隔を空けて前記固定樹脂を設置する工程と、
前記固定樹脂を硬化する工程と、
前記固定樹脂を硬化する工程で前記配線シートに仮固定された前記太陽電池セルを前記封止材によって封止する工程と、を含み、
前記封止材によって封止する工程は、前記導電性粒子を含む前記樹脂を硬化する工程を含む、太陽電池モジュールの製造方法。